(57)【特許請求の範囲】
【請求項１】
ホストコンピュータから送信された顧客コードを含む約定情報を受信して蓄積するサーバ装置と、
前記サーバ装置に接続され、前記サーバ装置から送信される約定情報を受信して表示する複数の端末装置とを備えた約定情報表示システムであって、
前記複数の端末装置が、前記サーバ装置に対して、自己の端末番号と、特定の顧客コードとを送信する端末装置であり、
前記サーバ装置が、予め、前記端末装置から送信された前記端末番号と前記各端末装置において扱っている特定の顧客の顧客コードとを対応させて約定比較テーブルに記憶しておき、その後、前記ホストコンピュータから約定情報を受信すると、前記受信した約定情報に含まれる顧客コードと前記記憶された約定比較テーブルの顧客コードとを比較して、一致する場合には、当該顧客コードに対応して前記約定比較テーブルに記憶されている端末番号の端末装置宛に当該約定情報を送信し、
前記複数の端末装置から送信された端末番号と特定の顧客コードとを対応させて前記約定比較テーブルに記憶する際に、前記送信された端末番号を予め登録されていた認証端末番号と比較して、一致した場合に、前記端末装置から送信された端末番号と顧客コードとを前記約定比較テーブルに記憶するとともに、前記ホストコンピュータから受信した約定情報に含まれる顧客コードと前記約定比較テーブルの顧客コードとを比較して一致する場合に、前記顧客コードに対応する端末番号が、複数、前記約定比較テーブルに登録されている場合には、該複数の端末番号に対応する端末装置に約定情報を送信するサーバ装置であることを特徴とする約定情報表示システム。
【発明の詳細な説明】
【０００１】
【発明の属する技術分野】
本発明は、証券、金融、保険業界情報を受信して表示する情報表示システムに係り、特に約定情報と、リミットマインダ情報を迅速に顧客に通知して、利便性を向上させることができる情報表示システムに関する。
【０００２】
【従来の技術】
情報表示システムは、証券会社や銀行等の各支店に設けられており、証券取引所、金融取引所のコンピュータセンタ等からリアルタイムに送られてくる市況情報を受信して蓄積し表示するシステムである。
【０００３】
また、従来の情報表示システムでは、各証券会社や銀行のホストコンピュータから送信される売買成立時の約定情報を受信して蓄積し、表示するようになっていた。
【０００４】
ここで、従来の情報表示システムについて図１１を用いて説明する。図１１は、従来の情報表示システムのシステム概略図である。
図１１に示すように、従来の情報表示システムは、取引所のコンピュータセンタから送信される市況情報と、各社のホストコンピュータから送信される約定情報とを受信して蓄積するサーバ装置１′と、サーバ装置１′に接続され、サーバ装置１′から送信された情報を受信して表示する複数の端末２′と、約定情報を出力するプリンタ等の出力装置３から構成されている。
【０００５】
そして、上記構成の情報表示システムにおいては、サーバ装置１′は市況情報を受信すると内部に記憶しておき、端末装置２′からの要求に基づいて記憶した市況情報を読み出して端末装置２に送信し、端末装置２′において市況情報を表示するようになっていた。
【０００６】
また、サーバ装置１′は、約定情報を受信すると内部に記憶すると共に出力装置３にデータを出力し、出力装置３が、プリントアウトするようになっていた。
【０００７】
また、従来の情報表示システムとしては、サーバ装置１′に銘柄毎に監視値（売り価格・買い価格）を設定しておき、受信した情報が監視値を越えて上昇又は下落した場合に、各端末２′においてアラーム音や表示で報知する機能（リミットマインダ機能）を備えたものがあった。
【０００８】
【発明が解決しようとする課題】
しかしながら、上記従来の情報表示システムでは、約定情報は特定の出力装置に出力されるため、各端末を操作する営業担当者は、随時出力装置を見に行かなければならず、不便であるという問題点があった。
【０００９】
また、上記従来の情報表示システムでは、市況情報を監視する際に、端末毎に異なる監視値を設定することはできず、各々の顧客に対応した情報提供ができないという問題点があった。
【００１０】
本発明は上記実情に鑑みて為されたもので、約定情報を当該売買に関する顧客を担当している端末装置に送出して表示し、迅速に情報を報知することができ、また、同一銘柄でも端末毎に異なる監視値を設定して各々の顧客に応じた市況情報の監視を行い、利便性を向上させることができる情報表示システムを提供することを目的とする。
【００１１】
【課題を解決するための手段】
上記従来例の問題点を解決するための本発明は、ホストコンピュータから送信された顧客コードを含む約定情報を受信して蓄積するサーバ装置と、サーバ装置に接続され、サーバ装置から送信される約定情報を受信して表示する複数の端末装置とを備えた約定情報表示システムであって、複数の端末装置が、サーバ装置に対して、自己の端末番号と、特定の顧客コードとを送信する端末装置であり、サーバ装置が、予め、端末装置から送信された端末番号と各端末装置において扱っている特定の顧客の顧客コードとを対応させて約定比較テーブルに記憶しておき、その後、ホストコンピュータから約定情報を受信すると、受信した約定情報に含まれる顧客コードと記憶された約定比較テーブルの顧客コードとを比較して、一致する場合には、当該顧客コードに対応して約定比較テーブルに記憶されている端末番号の端末装置宛に当該約定情報を送信し、複数の端末装置から送信された端末番号と特定の顧客コードとを対応させて約定比較テーブルに記憶する際に、送信された端末番号を予め登録されていた認証端末番号と比較して、一致した場合に、当該端末装置から送信された端末番号と顧客コードとを約定比較テーブルに記憶するとともに、ホストコンピュータから受信した約定情報に含まれる顧客コードと約定比較テーブルの顧客コードとを比較して一致する場合に、当該顧客コードに対応する端末番号が、複数、約定比較テーブルに登録されている場合には、該複数の端末番号に対応する端末装置に約定情報を送信するサーバ装置であることを特徴としており、端末装置が、サーバ装置に対して、各々の端末装置で担当している顧客コードを送信しておけば、サーバ装置が、各顧客を担当している端末装置宛に約定情報を送信することにより、各端末装置において当該端末装置で担当している顧客に関する約定情報を表示することができ、営業担当者及び顧客に迅速に情報を報知することができる。
【００１３】
【発明の実施の形態】
本発明の実施の形態について図面を参照しながら説明する。
本発明の実施の形態に係る情報表示システムは、各端末装置が扱っている顧客の顧客コードを予めサーバ装置に登録しておき、約定情報を受信した場合には、当該売買に関与した顧客を扱う端末装置に当該約定情報を送出し、端末装置において約定情報を表示することにより、約定情報を営業担当者及び顧客に迅速に報知することができ、また、端末装置毎にリミットマインダの監視値（売り価格及び買い価格）の登録を行って、サーバ装置で市況情報と比較して監視し、監視値を越えて市況情報が上下した場合には、該当する端末装置に監視値に達したことを表示することにより、各々の顧客のニーズに合わせて市況情報を監視して売買のタイミングを逃さないようにすることができるものである。
【００１４】
まず、本発明の実施の形態に係る情報表示システムの構成について図１を用いて説明する。図１は、本発明の実施の形態に係る情報表示システム（本システム）の構成ブロック図である。尚、図１１と同様の構成をとる部分については同一の符号を付して説明する。
図１に示すように、本システムは、サーバ装置１と、端末装置２とから構成されており、サーバ装置１と端末装置２とはＬＡＮによって接続されている。
【００１５】
そして、サーバ装置１は、各社のホストコンピュータからの約定情報を受信する約定情報受信部１１と、取引所のコンピュータセンタからの市況情報を受信する市況情報受信部１２と、受信した情報（データ）を記憶する記憶部１３と、記憶部１３からデータを読み出して内部に設けられているテーブルとの比較を行い、端末装置２に対するデータの送受信を行う制御部１４と、ＬＡＮに接続するＬＡＮインタフェイス（ＬＡＮ  Ｉ／Ｆ）１６とから構成され、端末装置２は、ＬＡＮに接続するＬＡＮインタフェイス（ＬＡＮ  Ｉ／Ｆ）２６と、操作者がデータを入力する入力部２１と、サーバ装置１に対するデータの送受信及びデータ処理を行う端末処理手段２２と、受信データを記憶する記憶部２３と、市況情報を表示する表示部２５と、表示部２５に対して表示データを出力する表示処理手段２４とから構成されている。
【００１６】
更に、サーバ装置１の記憶部１３には、受信した約定情報のデータを記憶する受信約定データテーブル１３ａと、受信した市況情報のデータを記憶する受信市況データテーブル１３ｂとが設けられている。
【００１７】
また、サーバ装置１の制御部１４には、予め本システムで認証されている端末装置２の端末番号が認証端末番号として記憶され、端末装置２から送信された顧客コードを記憶する約定比較テーブル１４ａと、端末装置２から送信された各端末装置２の銘柄毎の監視値を記憶するリミットマインダテーブル１４ｂと、受信データと制御部１４に記憶されているデータとを比較する検索比較手段１５が設けられている。
【００１８】
次に、サーバ装置１の特徴部分について図１を用いて具体的に説明する。
約定情報受信部１１は、約定情報を受信して記憶部１３の受信約定データテーブル１３ａに格納し、制御部１４に受信を通知するものである。
【００１９】
同様に、市況情報受信部１２は、市況情報を受信して、記憶部１３の受信市況データテーブル１３ｂに格納し、制御部１４に受信を通知するものである。
【００２０】
また、制御部１４の約定比較テーブル１４ａは、受信約定データテーブル１３ａ内のデータと比較するための比較基準となる顧客コードを記憶するものであり、リミットマインダテーブル１４ｂは、受信市況データテーブル１３ｂと比較するための比較基準となる監視値（売り価格、買い価格）を記憶するものである。
【００２１】
そして、約定比較テーブル１４ａ及びリミットマインダテーブル１４ｂは、端末装置２のログオン時に、検索比較手段１５によって認証された端末装置２から送信された顧客コード及び監視値を記憶しているものである。
【００２２】
つまり、制御部１４の検索比較手段１５は、端末装置２のログオン時に、各端末装置２からの端末番号を制御部１４に記憶されている認証端末番号と比較して、各端末装置２を認証し、それと共に、端末装置２から送信された約定比較データ及び市況比較データを制御部１４の約定比較テーブル１４ａ又はリミットマインダテーブル１４ｂに記憶するようになっている。
【００２３】
ここで、受信約定データテーブル１３ａ、約定比較テーブル１４ａ、受信市況データテーブル１３ｂ、リミットマインダテーブル１４ｂについて図２〜図５を用いて説明する。図２は、受信約定データテーブル１３ａの模式説明図であり、図３は、約定比較テーブル１４ａの模式説明図であり、図４は、受信市況データテーブル１３ｂの模式説明図であり、図５は、リミットマインダテーブル１４ｂの模式説明図である。
図２に示すように、受信約定データテーブル１３ａは、受信した約定情報（約定情報１〜約定情報ｎ）を新しいものから順に記憶しているものであり、各約定情報には顧客コードと、銘柄名と、値段と、売買時刻とが含まれる。
【００２４】
また、図３に示すように、約定比較テーブル１４ａは、認証された端末装置２毎の約定比較（約定比較１〜約定比較ｍ）を記憶しているものであり、各約定比較には対応する端末装置２の端末番号と、各端末において扱っている顧客の顧客コードとが含まれている。
図３の例では、ｍ台の端末装置２が設けられており、各端末装置２に対応してｍ個の約定比較が記憶されているものである。
【００２５】
そして、図２及び図３に示すように、制御部１４では、約定情報受信部１１から約定受信の通知を受けた場合に、検索比較手段１５が、受信約定データテーブル１３ａの最新の約定情報の顧客コードと約定比較テーブル１４ａの各約定比較の顧客コードとを検索比較し、顧客コードが一致した場合には、当該約定情報を当該約定比較の端末番号宛に送信する、つまり、当該売買に関与した顧客を扱っている端末宛に約定情報を送信するようになっている。
【００２６】
また、図４に示すように、受信市況データテーブル１３ｂは、市況情報受信部１２において受信した市況情報（市況情報１〜市況情報ｋ）を受信の新しい順に記憶しているものであり、各市況情報には、銘柄コードと、銘柄名と、価格と、時刻とが含まれている。
【００２７】
また、図５に示すように、リミットマインダテーブル１４ｂは、認証された端末装置２毎の市況情報の監視基準となる市況比較（市況比較１〜市況比較ｍ）を記憶するものであり、各市況比較には、当該端末装置２に対応する端末番号とリミット情報とが含まれる。
図５の例では、サーバ装置１にｍ台の端末装置２が接続されており、各々の端末装置２に対応した市況比較（市況比較１〜市況比較ｍ）が記憶されている。
【００２８】
また、リミット情報は、顧客毎に個別の監視を行うための基準となるものであり、顧客コードと、銘柄コードと、当該銘柄の売り価格（価格を指定して売る）と、買い価格（価格を指定して買う）とが含まれている。リミット情報には、顧客の指示に応じて、銘柄コードと売り価格と買い価格の組が複数含まれている場合もある。
【００２９】
そして、図４及び図５に示すように、制御部１４は、市況情報受信部１２から市況情報受信の通知を受けた場合に、受信市況データテーブル１３ｂにおける最新の市況情報中の銘柄コードが、リミットマインダテーブル１４ｂの市況比較中の銘柄コードに一致するかどうかを判断し、一致した場合には、更に受信市況データテーブル１３ｂにおける価格と、リミットマインダテーブル１４ｂにおける売り価格及び買い価格とを比較し、売り価格を超えて上昇したり、買い価格を越えて下落した場合に、当該市況比較に対応する端末番号宛にリミットマインダ情報を送信するものである。
【００３０】
リミットマインダ情報は、銘柄コードと、現在の価格と、監視値としての売り価格又は買い価格を含むものであり、特定銘柄の価格が、ある顧客の設定した売り価格又は買い価格の条件を満たしたことを報知するものである。
【００３１】
次に、端末装置２について説明する。
端末装置２の入力部２１は、操作者がログオン操作等のデータ入力を行うものである。
また、端末処理手段２２は、サーバ装置１に対して、約定比較となる顧客コードやリミットマインダの基準となる市況比較を送信するものであり、また、サーバ装置１から送信された約定情報やリミットマインダ情報を記憶部２３に記憶するものである。更に、端末処理手段２２は、約定情報又はリミットマインダ情報を受信した場合に、表示処理手段２４に表示指示を出力するものである。
【００３２】
また、表示部２５は、複数のウインドウを表示できるものであり、通常の市況情報を表示する画面の他に、約定情報の表示画面や、リミットマインダ情報の表示画面を備えている。
【００３３】
更に、本システムの特徴として、約定情報の表示画面やリミットマインダ情報の表示画面が前面に無い場合でも約定情報やリミットマインダ情報の受信を直ちに報知するため、表示画面内に専用のインジケータを設けている。
【００３４】
そして、表示処理手段２４は、表示指示を受け取った場合に、記憶部２３からデータを読み取って表示部２５に出力して表示するものである。ここで、表示部２５が、約定情報及びリミットマインダ情報の表示画面が前面に表示されている場合には、表示処理手段２４は当該表示画面に表示データを出力して約定情報又はリミットマインダ情報を表示するが、表示部２５において約定情報又はリミットマインダ情報の表示画面が前面に無い場合には、インジケータを点滅させるものである。
【００３５】
次に、本システムの動作について説明する。
まず、端末装置２のログオン時のサーバ装置１の制御部１４における処理について図６を用いて具体的に説明する。図６は、端末装置２のログオン時のサーバ装置１の制御部１４における処理を示すフローチャート図である。
図６に示すように、サーバ装置１の制御部１４は、ＬＡＮを介して端末装置２から端末番号が入力されると（１００）、入力された端末番号が予め登録されている認証端末番号であるかどうかを判断し（１０２）、認証端末番号である場合には（Ｙｅｓの場合）、端末装置２から入力された約定比較データ（端末番号、顧客コード）を約定比較テーブル１４ａに記憶し（１０４）、更に、端末装置２から入力された市況比較データ（端末番号、リミット情報（銘柄コード、売り価格、買い価格））をリミットマインダテーブル１４ｂに記憶する（１０６）。
【００３６】
また、処理１０２において端末装置２から入力された端末番号が認証端末番号ではない場合には（Ｎｏの場合）、制御部１４は、端末装置２にエラー通知を出力し（１０８）処理を終わる。
このようにして、端末装置２のログオン時のサーバ装置１の制御部１４における処理が行われるものである。
【００３７】
次に、約定情報受信時の制御部１４の処理について図７を用いて説明する。図７は、約定情報受信時の制御部１４の処理を示すフローチャート図である。
図７に示すように、制御部１４は、約定情報受信部１１から約定情報受信の通知が入力されると（２００）、受信約定データテーブル１３ａから最新の約定情報を読み取り（２０２）、最新の約定情報中の顧客コードと、約定比較テーブル１４ａの約定比較中の顧客コードとを比較する（２０４）。
【００３８】
そして、制御部１４は、顧客コードが一致するかどうかを判断し（２０６）、一致した場合には、受信した約定情報を当該約定比較に登録されている端末番号宛に送信する（２０８）。そして、制御部１４は、約定比較テーブル１４ａ中の全ての約定比較についてチェックしたか、つまり全ての端末装置２についてチェックしたかどうかを判断し（２１２）、チェックが終わっていない場合には、処理２０４に戻って同様にチェックを続ける。
【００３９】
また、処理２０６で顧客コードが一致しない場合には、制御部１４は、当該約定比較中の全ての顧客コードについてチェックしたかどうかを判断し（２１０）、チェックが終わっていない場合には処理２０４に戻って次の顧客コードについて同様にチェックを行い、また、処理２１０でチェックが終わっている場合には、処理２１２に移行する。
このようにしてサーバ装置１の制御部１４における約定情報受信時の処理が行われるものである。
【００４０】
次に、市況情報受信時の制御部１４の処理について図８を用いて説明する。図８は、市況情報受信時の制御部１４の処理を示すフローチャート図である。
図８に示すように、市況情報受信部１２から市況情報受信通知が入力されると（３００）、制御部１４は、受信市況データテーブル１３ｂから最新の市況情報を読み取り（３０２）、リミットマインダテーブル１４ｂから市況比較データ（市況比較）を読み取る（３０４）。
【００４１】
そして、制御部１４は、市況比較中のリミット情報を読み取り（３０６）、リミット情報に含まれる銘柄コードと市況情報の銘柄コードとを比較する（３０８）。銘柄コードが一致したかどうかを判断し（３１０）、一致した場合には、更に市況情報の価格がリミット情報の売り価格又は買い価格の条件を満たしているかを判断し、条件に合う場合には、顧客コードと、銘柄コードと、価格と、売り価格又は買い価格のデータを対応する端末番号宛に送信する（３２０）。これにより、各端末装置２において、顧客に合わせたリミットマインダ通知ができるものである。
【００４２】
また、処理３１０で銘柄コードが一致しなかった場合と、処理３１２で価格が条件を満たしていない場合には、制御部１４は、リミット情報中の全ての銘柄コードについてチェックしたかどうかを判断し（３２２）、チェックが終わっていない場合には、処理３０８に戻って次の銘柄コードについてチェックする。
【００４３】
処理３２２で、全ての銘柄コードについてチェックが終わった場合には、制御部１４は、当該市況比較中の全てのリミット情報についてチェックしたかどうかを判断し（３２４）、チェックが終わっていない場合には、処理３０６に戻って次のリミット情報について同様にチェックを行う。
【００４４】
処理３２４において、当該市況比較中の全てのリミット情報についてチェックした場合には、制御部１４は、全ての市況比較についてチェックしたかどうかを判断し（３２６）、チェックが終わっていない場合には処理３０４に戻って次の市況比較について同様にリミットマインダのチェックを行う。
このようにして、市況情報受信時の制御部１４における処理が行われるものである。
【００４５】
次に、端末装置２における動作について説明する。
端末装置２では、端末処理手段２２がサーバ装置１からデータを受け取ると、受信データを記憶部２３に記憶し、表示処理手段２４に表示指示を出力する。表示処理手段２４は、表示指示を受け取ると、記憶部２３からデータを読み出し、表示部２５に出力する。
【００４６】
ここで、表示部２５における表示例について図９を用いて説明する。図９は、本システムの端末装置２における表示例を示す説明図である。
図９に示すように、表示部２５に表示画面１と表示画面２の２種類の画面があり、通常は表示画面１において市況情報が表示されている。表示画面２は、約定情報やリミットマインダ情報を表示する画面である。また、画面右上にインジケータが表示されており、通常はインジケータは消灯している。
【００４７】
そして、表示画面１が表示されている状態で、表示処理手段２４に端末処理手段２２から約定情報又はリミットマインダ情報の表示指示が入力されると、表示処理手段２４は、記憶部２３から、指定されたデータを読み出して、表示画面２上にデータを出力する。
【００４８】
しかし、表示画面２は表示画面１の下側になっていて、操作者には情報が見えないため、本システムでは、表示した情報に対応して、「約定」又は「リミット」のインジケータを点滅させる。そして、入力部２１からの指示により、表示画面２が表示されると、インジケータの点滅を停止するようになっている。
【００４９】
これにより、本システムでは、端末装置２毎に担当している顧客に関する約定情報及びリミットマインダ情報を表示させることができ、顧客に応じた情報提供を行って利便性を向上させることができ、また、表示画面２が前面に表示されていない場合でも、インジケータによって約定情報又はリミットマインダ情報の受信を迅速に報知することができるものである。
【００５０】
次に、端末装置２の表示処理手段２４における表示時の処理について図１０を用いて説明する。図１０は、端末装置２の表示処理手段２４における表示時の処理を示すフローチャート図である。
図１０に示すように、表示処理手段２４は、端末処理手段２２から表示指示が入力されると（４００）、記憶部２３からデータを読み出す（４０２）。
【００５１】
そして、表示処理手段２４は、約定情報又はリミットマインダデータの画面が表示されているかどうかを判断し（４０４）、表示されていない場合には、データに対応した「約定」又は「リミット」のインジケータを点滅表示する（４０６）。そして、表示処理手段２４は、約定情報又はリミットマインダデータの画面の表示指示が入力されたかどうかを判断し（４０８）、表示指示が入力された場合には画面にデータを出力し（４１０）、インジケータを消灯する（４１２）。
【００５２】
また、処理４０４で画面が表示されている場合には、表示処理手段２４は、画面にデータを出力し（４２０）、処理を終わる。
このようにして、端末装置２の表示処理手段２４の処理が行われるものである。
【００５３】
本発明の実施の形態に係る情報表示システムによれば、サーバ装置１の制御部１４に、端末装置２に対応して、端末番号と扱っている顧客コードとを記憶する約定比較テーブル１４ａを設け、約定情報受信時には、サーバ装置１の制御部１４が、受信約定データテーブル１３ａに記憶されている約定情報の顧客コードと、約定比較テーブル１４ａに記憶されている約定比較の顧客コードとを比較し、一致した場合に、当該約定比較に登録されている端末番号宛に当該約定情報を送信するようにしているので、約定に関与している顧客を担当している端末宛に受信した約定情報を送信することができ、担当者及び顧客に迅速に約定情報を通知して、利便性を向上させることができる効果がある。
【００５４】
また、本システムによれば、サーバ装置１の制御部１４に、端末装置２に対応するリミット情報として顧客コードと銘柄コードと売り価格と買い価格とを記憶したリミットマインダテーブル１４ｂを設け、市況情報受信時には、サーバ装置１の制御部１４が、受信市況データテーブル１３ｂに記憶されている銘柄コードとリミットマインダテーブル１４ｂの銘柄コードとを比較して、一致した場合には、更に、受信市況データテーブル１３ｂに記憶されている価格が、リミットマインダテーブル１４ｂに設定されている価格（売り価格又は買い価格）に達しているかどうかを判断し、達している場合に、当該リミット情報に記憶されている顧客コードと銘柄コードと売り価格又は買い価格と、市況情報テーブル１３ｂに記憶されている価格とを当該端末番号宛に送信し、端末装置において当該銘柄コードの価格が、当該顧客の設定した売り価格又は買い価格の条件を満たしたことを報知するメッセージを出力するようにしているので、顧客毎に売り価格及び買い価格を設定して市況情報を監視することができ、更に、監視結果を担当している端末に出力することにより、担当者及び顧客に迅速に売買のタイミングを報知して利便性を向上させることができる効果がある。
【００５５】
【発明の効果】
本発明によれば、サーバ装置が、予め、端末装置から送信された端末番号と各端末装置において扱っている特定の顧客の顧客コードとを対応させて約定比較テーブルに記憶しておき、その後、ホストコンピュータから約定情報を受信すると、受信した約定情報に含まれる顧客コードと記憶された約定比較テーブルの顧客コードとを比較して、一致する場合には、当該顧客コードに対応して約定比較テーブルに記憶されている端末番号の端末装置宛に当該約定情報を送信し、複数の端末装置から送信された端末番号と特定の顧客コードとを対応させて約定比較テーブルに記憶する際に、送信された端末番号を予め登録されていた認証端末番号と比較して、一致した場合に、当該端末装置から送信された端末番号と顧客コードとを約定比較テーブルに記憶するとともに、ホストコンピュータから受信した約定情報に含まれる顧客コードと約定比較テーブルの顧客コードとを比較して一致する場合に、当該顧客コードに対応する端末番号が、複数、約定比較テーブルに登録されている場合には、該複数の端末番号に対応する端末装置に約定情報を送信する約定情報表示システムとしているので、各端末装置において当該端末装置で担当している顧客に関する約定情報を表示することができ、営業担当者及び顧客に迅速に情報を報知することができる効果がある。
【図面の簡単な説明】
【図１】本発明の実施の形態に係る情報表示システム（本システム）の構成ブロック図である。
【図２】受信約定データテーブル１３ａの模式説明図である。
【図３】約定比較テーブル１４ａの模式説明図である。
【図４】受信市況データテーブル１３ｂの模式説明図である。
【図５】リミットマインダテーブル１４ｂの模式説明図である。
【図６】端末装置２のログオン時のサーバ装置１の制御部１４における処理を示すフローチャート図である。
【図７】約定情報受信時の制御部１４の処理を示すフローチャート図である。
【図８】市況情報受信時の制御部１４の処理を示すフローチャート図である。
【図９】本システムの端末装置２における表示例を示す説明図である。
【図１０】端末装置２の表示処理手段２４における表示時の処理を示すフローチャート図である。
【図１１】従来の情報表示システムのシステム概略図である。
【符号の説明】
１…サーバ装置、  ２…端末装置、  ３…出力装置  １１…約定情報受信部、１２…市況情報受信部、  １３…記憶部、  １３ａ…受信約定データテーブル、  １３ｂ…受信市況データテーブル、  １４…制御部、  １４ａ…約定比較テーブル、  １４ｂ…リミットマインダテーブル、  １５…検索比較手段、  １６…ＬＡＮインタフェイス、  ２１…入力部、  ２２…端末処理手段、  ２３…記憶部、  ２４…表示処理手段、  ２５…表示部、  ２６…ＬＡＮインタフェイス
【図１】
0004014259.tif 000002
【図２】
0004014259.tif 000003
【図３】
0004014259.tif 000004
【図４】
0004014259.tif 000005
【図５】
0004014259.tif 000006
【図６】
0004014259.tif 000007
【図７】
0004014259.tif 000008
【図８】
0004014259.tif 000009
【図９】
0004014259.tif 000010
【図１０】
0004014259.tif 000011
【図１１】
0004014259.tif 000012